(57)【特許請求の範囲】
【請求項１】
制御中継所に設置され、制御所に設置されている制御所装置と通信可能で、かつ遠方の複数の遠方装置と通信可能な情報集配信装置に対する、対向試験を行うための情報集配信装置の対向試験装置であって、
前記制御所に配設されるシミュレーション装置と、模擬遠方装置と、
前記制御中継所に配設され、前記シミュレーション装置によって制御されて、前記情報集配信装置の所定の前記遠方装置に該当する通信ポートと前記模擬遠方装置とを通信可能に接続する接続手段と、を備え、
前記シミュレーション装置からの制御情報が、前記制御所装置から前記情報集配信装置および前記接続手段を介して前記模擬遠方装置に送信され、前記模擬遠方装置からの模擬情報が、前記接続手段から前記情報集配信装置および前記制御所装置を介して前記シミュレーション装置に送信されるようになっており、
前記接続手段の接続状況を撮影し、撮影した画像を前記シミュレーション装置に送信する撮影手段を備える、
ことを特徴とする情報集配信装置の対向試験装置。
【請求項２】
前記情報集配信装置の状態や前記各遠方装置の状態などを表示する表示手段が前記制御中継所に配設され、前記表示手段の画面を前記シミュレーション装置に送信するモニタリング手段を備える、
ことを特徴とする請求項１に記載の情報集配信装置の対向試験装置。
【請求項３】
前記シミュレーション装置からの制御情報と前記模擬遠方装置で受信された制御情報とを比較する制御情報比較手段を、前記制御所に備える、
ことを特徴とする請求項１または２のいずれか１項に記載の情報集配信装置の対向試験装置。
【請求項４】
前記模擬遠方装置からの模擬情報と前記シミュレーション装置で受信された模擬情報とを比較する模擬情報比較手段を、前記制御所に備える、
ことを特徴とする請求項１から３のいずれか１項に記載の情報集配信装置の対向試験装置。
【請求項５】
制御中継所に設置され、制御所に設置されている制御所装置と通信可能で、かつ遠方の複数の遠方装置と通信可能な情報集配信装置に対して対向試験を行う情報集配信装置の対向試験方法であって、
前記制御所に、シミュレーション装置と模擬遠方装置とを配設し、
前記制御中継所に、前記シミュレーション装置によって制御され、前記情報集配信装置の所定の前記遠方装置に該当する通信ポートと前記模擬遠方装置とを通信可能に接続する接続手段を配設し、
前記シミュレーション装置からの制御情報を、前記制御所装置から前記情報集配信装置および前記接続手段を介して前記模擬遠方装置に送信し、前記模擬遠方装置からの模擬情報を、前記接続手段から前記情報集配信装置および前記制御所装置を介して前記シミュレーション装置に送信するとともに、前記接続手段の接続状況を撮影して、撮影した画像を前記シミュレーション装置に送信する、
ことを特徴とする情報集配信装置の対向試験方法。
【発明の詳細な説明】
【技術分野】
【０００１】
この発明は、複数の装置・システムが接続された情報集配信装置の対向試験を行うための情報集配信装置の対向試験装置および対向試験方法に関する。
【背景技術】
【０００２】
例えば、遠方の各装置・設備を遠隔で集中的に監視、制御する監視制御設備では、各変電所に、各装置・設備を監視、制御する遠隔監視制御装置が設置され、制御中継所には、複数の遠隔監視制御装置と通信可能な情報中継装置（情報集配信装置）が設置され、さらに、制御所に、情報中継装置と通信可能な監視制御システムが設置されている。このような監視制御設備においては、情報中継装置を基準にして各情報配信先の装置（遠隔監視制御装置や監視制御システム）と対向試験を行う場合がある。
【０００３】
すなわち、対向先の遠隔監視制御装置が交換・リプレース、増設された場合や、情報中継装置自体を交換した場合などに、適正な通信、監視等が行えるか否かを確認するために、対向試験を行っている。そして、この対向試験においては、電力会社の立会者や運転責任者、工事会社の現場代理人や作業員などが制御中継所に赴き、制御所にいる作業員などと連絡をとりながら、接続変更やその動作確認などを行っている。
【０００４】
また、シーケンス制御装置のメモリ要素へ付与されるデータに応じて制御対象を制御する監視制御システムにおいて、メモリ要素から指令信号の受付有無を検知して保持するフラグ生成手段をシーケンス制御装置に設け、このフラグ生成手段による検知結果により重複指令ミスを検出する技術が知られている（例えば、特許文献１参照。）。さらに、集中監視制御装置での表示状態と全く同一の表示状態を、被監視制御所内に実現することで、被監視制御所内だけで能率的にかつ正確に試験を行うことができる、という技術が知られている（例えば、特許文献２参照。）。
【先行技術文献】
【特許文献】
【０００５】
【特許文献１】特開２００３−２３３４０４号公報
【特許文献２】特開２００６−２３０１４１号公報
【発明の概要】
【発明が解決しようとする課題】
【０００６】
ところで、上記のような対向試験を行う場合、電力会社の運転責任者や工事会社の作業員などの多くの人が、制御中継所に赴いて長時間にわたって作業や立会などを行わなければならず、移動、作業等に多大な労力、時間および費用を要する。特に、電気所のように多数の回線を試験対象とする場合には、さらに時間や費用などを要する。また、制御中継所の作業員などと制御所の作業員などとの連絡は、電話による場合が多いため、相手方の状況を適正に把握することが困難であり、正確性が低く、作業や動作確認に時間を要していた。同様に、特許文献１、２に記載の技術においても、作業員などが制御中継所などの現地に赴いて作業や立会などを行わなければならず、上記のような対向試験を行うには不向きである。
【０００７】
そこでこの発明は、情報集配信装置の対向試験を行う際に、作業員などが現地に行くのを削減することが可能な情報集配信装置の対向試験装置および対向試験方法を提供することを目的とする。
【課題を解決するための手段】
【０００８】
上記課題を解決するために、請求項１に記載の発明は、制御中継所に設置され、制御所に設置されている制御所装置と通信可能で、かつ遠方の複数の遠方装置と通信可能な情報集配信装置に対する、対向試験を行うための情報集配信装置の対向試験装置であって、前記制御所に配設されるシミュレーション装置と、模擬遠方装置と、前記制御中継所に配設され、前記シミュレーション装置によって制御されて、前記情報集配信装置の所定の前記遠方装置に該当する通信ポートと前記模擬遠方装置とを通信可能に接続する接続手段と、を備え、前記シミュレーション装置からの制御情報が、前記制御所装置から前記情報集配信装置および前記接続手段を介して前記模擬遠方装置に送信され、前記模擬遠方装置からの模擬情報が、前記接続手段から前記情報集配信装置および前記制御所装置を介して前記シミュレーション装置に送信されるようになっており、前記接続手段の接続状況を撮影し、撮影した画像を前記シミュレーション装置に送信する撮影手段を備える、ことを特徴とする。
【０００９】
この発明によれば、制御所のシミュレーション装置からの制御情報が制御所装置から、制御中継所の情報集配信装置の所定の遠方装置に該当する通信ポートおよび接続手段を介して、制御所の模擬遠方装置に送信される。また、制御所の模擬遠方装置からの模擬情報が、制御中継所の接続手段から情報集配信装置および、制御所の制御所装置を介してシミュレーション装置に送信される。このようにして、制御所からの制御情報や模擬情報が、制御中継所の情報集配信装置の所定の遠方装置に該当する通信ポートを介して、制御所に送信（還流）される。
【００１１】
請求項２に記載の発明は、請求項１に記載の対向試験装置において、前記情報集配信装置の状態や前記各遠方装置の状態などを表示する表示手段が前記制御中継所に配設され、前記表示手段の画面を前記シミュレーション装置に送信するモニタリング手段を備える、ことを特徴とする。
【００１２】
請求項３に記載の発明は、請求項１または２に記載の対向試験装置において、前記シミュレーション装置からの制御情報と前記模擬遠方装置で受信された制御情報とを比較する制御情報比較手段を、前記制御所に備える、ことを特徴とする。
【００１３】
請求項４に記載の発明は、請求項１から３に記載の対向試験装置において、前記模擬遠方装置からの模擬情報と前記シミュレーション装置で受信された模擬情報とを比較する模擬情報比較手段を、前記制御所に備える、ことを特徴とする。
【００１４】
請求項５に記載の発明は、制御中継所に設置され、制御所に設置されている制御所装置と通信可能で、かつ遠方の複数の遠方装置と通信可能な情報集配信装置に対して対向試験を行う情報集配信装置の対向試験方法であって、前記制御所に、シミュレーション装置と模擬遠方装置とを配設し、前記制御中継所に、前記シミュレーション装置によって制御され、前記情報集配信装置の所定の前記遠方装置に該当する通信ポートと前記模擬遠方装置とを通信可能に接続する接続手段を配設し、前記シミュレーション装置からの制御情報を、前記制御所装置から前記情報集配信装置および前記接続手段を介して前記模擬遠方装置に送信し、前記模擬遠方装置からの模擬情報を、前記接続手段から前記情報集配信装置および前記制御所装置を介して前記シミュレーション装置に送信するとともに、前記接続手段の接続状況を撮影して、撮影した画像を前記シミュレーション装置に送信する、ことを特徴とする。
【発明の効果】
【００１５】
請求項１および５に記載の発明によれば、制御所からの制御情報や模擬情報が、制御中継所の情報集配信装置の所定の遠方装置に該当する通信ポートを介して、制御所に送信されるため、所定の遠方装置に対する通信が適正に行われているか否かを、制御所にて確認することができる。しかも、制御所のシミュレーション装置から制御中継所の接続手段を制御可能なため、情報集配信装置の所定の通信ポートと模擬遠方装置との接続を切り替えるために、作業員などが制御中継所に行く必要がない。このように、作業員などが現地・制御中継所に行くことなく、情報集配信装置の対向試験を行うことが可能となり、対向試験に要する時間や労力、費用を著しく軽減することができる。また、制御所だけで接続手段の制御や通信の確認などを行えるため、現地・制御中継所の作業員などと電話で連絡をとる必要が削減され、適正・正確な対向試験を行うことが可能となる。
【００１６】
また、接続手段の接続状況を撮影してシミュレーション装置に送信されるため、制御所において接続手段の接続状況を確認することができ、対向試験をより適正・正確に行うことが可能となる。
【００１７】
請求項２に記載の発明によれば、情報集配信装置の状態などを表示する表示手段の画面が、モニタリング手段によって制御所のシミュレーション装置に送信されるため、制御所において情報集配信装置の状態などを確認しながら、対向試験をより適正・正確に行うことが可能となる。
【００１８】
請求項３に記載の発明によれば、制御情報比較手段によって、シミュレーション装置からの制御情報が適正に模擬遠方装置に送信されたか否かが比較、確認されるため、制御情報による対向試験を容易かつ迅速に行うことが可能となる。
【００１９】
請求項４に記載の発明によれば、模擬情報比較手段によって、模擬遠方装置からの模擬情報が適正にシミュレーション装置に送信されたか否かが比較、確認されるため、模擬情報による対向試験を容易かつ迅速に行うことが可能となる。
【図面の簡単な説明】
【００２０】
【図１】この発明の実施の形態に係る情報集配信装置の対向試験装置の適用例を示す概略構成図である。
【図２】図１の対向試験装置の切替スイッチ装置を示す構成図である。
【図３】図１の対向試験装置によって制御情報の流れを試験している状態を示す図である。
【図４】図１の対向試験装置によって模擬情報の流れを試験している状態を示す図である。
【図５】図１の対向試験装置の他の適用例を示す概略構成図である。
【発明を実施するための形態】
【００２１】
以下、この発明を図示の実施の形態に基づいて説明する。
【００２２】
図１は、この発明の実施の形態に係る情報集配信装置の対向試験装置（以下、「対向試験装置」という）１の適用例を示す概略構成図である。この対向試験装置１は、情報集配信装置に対する対向試験を行うための装置であり、この実施の形態では、情報集配信装置が制御中継所Ｔに設置された情報中継装置Ｔａであり、この情報中継装置Ｔａを交換・リプレースする場合を例にして説明する。
【００２３】
ここで、各制御所Ｓに制御所側監視制御システム（制御所装置）Ｓａが設置され、制御中継所Ｔには、各制御所側監視制御システムＳａと通信可能に接続された情報中継装置Ｔａと、中継所側監視制御システムＴｂとが設置されている。また、各変電所Ｈ１〜Ｈ５には、遠隔地の各装置・設備を監視、制御する遠隔監視制御装置（遠方装置）Ｈ１ａ〜Ｈ５ａが設置され、各遠隔監視制御装置Ｈ１ａ〜Ｈ５ａは、情報中継装置Ｔａと通信可能に接続されている。すなわち、情報中継装置Ｔａの各通信ポートＰ１〜Ｐ５に対応して、各遠隔監視制御装置Ｈ１ａ〜Ｈ５ａが接続され、例えば、第１の通信ポートＰ１には、第１の変電所Ｈ１の遠隔監視制御装置Ｈ１ａが接続され、第５の通信ポートＰ５には、第５の変電所Ｈ５の遠隔監視制御装置Ｈ５ａが接続されている。
【００２４】
また、情報中継装置Ｔａの交換に際して、制御中継所Ｔには、交換・撤去対象である旧情報中継装置Ｔａおよび旧中継所側監視制御システムＴｂと、新設する新情報中継装置Ｔａおよび新中継所側監視制御システムＴｂとが設置され、それぞれに各制御所Ｓの制御所側監視制御システムＳａが接続されている。これにより、交換・試験時においても、システムの運用（監視、制御）を継続できるものである。また、この実施の形態では、旧情報中継装置Ｔａに各遠隔監視制御装置Ｈ１ａ〜Ｈ５ａが接続されている。
【００２５】
対向試験装置１は、主として、制御所Ｓに配設されるシミュレーション装置２および模擬子局装置（模擬遠方装置）３と、制御中継所Ｔに配設される切替スイッチ装置（接続手段）４およびカメラ（撮影手段）５を備えている。
【００２６】
シミュレーション装置２は、切替スイッチ装置４を制御したり、各種の制御情報や模擬情報を送受信したりして、対向試験を行う装置であり、主として、主コンピュータ（制御情報比較手段、模擬情報比較手段）２１と、試験プログラム２２と、中継所テーブル２３と、良否判定データベース２４と、試験系監視装置（モニタリング手段）２５とを備えている。主コンピュータ２１は、新情報中継装置Ｔａおよび切替スイッチ装置４と通信可能に接続され、試験プログラム２２を起動し、試験プログラム２２に従って切替スイッチ装置４の制御、各種情報の送受信、送受信情報の比較などを行う。
【００２７】
具体的には、対向試験を開始する際に、新情報中継装置Ｔａに「試験」信号を送信して、新情報中継装置Ｔａを対向試験モードにし、対向試験を終了して通常運用する際に、新情報中継装置Ｔａに「常用」信号を送信して、新情報中継装置Ｔａを運用モードにする。また、対向試験において、切替スイッチ装置４に切替指令を送信することで、後述するようにして、切替スイッチ装置４の各スイッチ４１〜４５が切り替わる。さらに、制御情報を試験系監視装置２５に送信することで、後述するように、制御情報が制御所側監視制御システムＳａから新情報中継装置Ｔａおよび切替スイッチ装置４を介して、模擬子局装置３に送信され、主コンピュータ２１に還流される。そして、主コンピュータ２１から送信した制御情報と、模擬子局装置３側から受信した制御情報とを比較し、一致しているか否かなどの比較結果を良否判定データベース２４に記憶する。
【００２８】
同様に、表示計測情報などの模擬出力情報（模擬情報）を模擬子局装置３に送信することで、後述するように、模擬出力情報が切替スイッチ装置４から新情報中継装置Ｔａおよび制御所側監視制御システムＳａを介して試験系監視装置２５に送信され、主コンピュータ２１に還流される。そして、主コンピュータ２１から送信した模擬出力情報と、試験系監視装置２５側から受信した模擬出力情報とを比較し、その結果を良否判定データベース２４に記憶するものである。
【００２９】
さらに、主コンピュータ２１には、後述するようにしてカメラ５で撮影された画像、つまり切替スイッチ装置４の接続状況がリアルタイムに送信され、主コンピュータ２１のディスプレイに任意に表示されるようになっている。
【００３０】
中継所テーブル２３は、各制御中継所Ｔに設置されている情報中継装置Ｔａや中継所側監視制御システムＴｂに関する情報や各制御中継所Ｔの監視エリア（変電所Ｈ１〜Ｈ５）などを記憶するメモリである。また、良否判定データベース２４には、上記のように、制御情報や模擬出力情報の比較結果が記憶され、主コンピュータ２１などから任意に読み出せるようになっている。
【００３１】
試験系監視装置２５は、中継所側監視制御システムＴｂに相当する模擬・試験用の監視装置であり、複数のモニタを備え、制御中継所Ｔのモニタ画面を表示できるようになっている。すなわち、中継所側監視制御システムＴｂには、情報中継装置Ｔａの状態や各遠隔監視制御装置Ｈ１ａ〜Ｈ５ａの状態などを表示するモニタ（表示手段）が設けられ、このモニタに表示される画像データが、分配器やＩＰ網端局装置などを介して、試験系監視装置２５に送信される。これを受けて、試験系監視装置２５のモニタに、情報中継装置Ｔａの状態や各遠隔監視制御装置Ｈ１ａ〜Ｈ５ａの状態などが表示されるようになっている。
【００３２】
ここで、中継所側監視制御システムＴｂには、設定や制御に関する情報を表示するモニタも設けられているが、このモニタの画像データは、試験系監視装置２５に送信されないようになっている。つまり、設定や制御に関する情報は、セキュリティを考慮して、制御所Ｓでは見られないようになっている。
【００３３】
模擬子局装置３は、各遠隔監視制御装置Ｈ１ａ〜Ｈ５ａに相当する模擬的な遠隔監視制御装置であり、遠隔監視制御装置Ｈ１ａ〜Ｈ５ａと同等な構成で、後述するように、切替スイッチ装置４を介して、情報中継装置Ｔａの各通信ポートＰ１〜Ｐ５と接続されるようになっている。そして、上記のようにして、制御情報を切替スイッチ装置４側から受信すると、制御情報を主コンピュータ２１に送信し、主コンピュータ２１から模擬出力情報を受信すると、模擬出力情報を切替スイッチ装置４側に送信するものである。
【００３４】
切替スイッチ装置４は、主コンピュータ２１によって制御され、情報中継装置Ｔａの所定の遠隔監視制御装置Ｈ１ａ〜Ｈ５ａに該当する通信ポートＰ１〜Ｐ５と模擬子局装置３とを通信可能に接続する装置である。具体的には、通信ポートＰ１〜Ｐ５は、それぞれ遠隔監視制御装置Ｈ１ａ〜Ｈ５ａが接続されるべきポートであり、切替スイッチ装置４は、図２に示すように、通信ポートＰ１〜Ｐ５つまり遠隔監視制御装置Ｈ１ａ〜Ｈ５ａに対応したスイッチ４１〜４５を有し、各スイッチ４１〜４５の中央端子４１ａ〜４５ａがそれぞれ通信ポートＰ１〜Ｐ５に接続されている。また、各スイッチ４１〜４５のオン端子４１ｂ〜４５ｂが直列的に接続され、さらに、第１のスイッチ４１のオン端子４１ｂが、模擬子局装置３と通信可能に接続されている。
【００３５】
そして、主コンピュータ２１から切替指令を受信すると、各スイッチ４１〜４５をオン、オフ操作する。例えば、第１の通信ポートＰ１を接続すべき旨の切替指令を主コンピュータ２１から受信すると、図１、２に示すように、第１のスイッチ４１のみをオン端子４１ｂに接続し（オンし）、他のスイッチ４２〜４５はオフ端子４２ｃ〜４５ｃに接続する（オフする）。これにより、情報中継装置Ｔａの第１の通信ポートＰ１と模擬子局装置３とが、第１のスイッチ４１を介して通信可能に接続される。つまり、模擬子局装置３が第１の変電所Ｈ１の遠隔監視制御装置Ｈ１ａとして模擬され、第１の遠隔監視制御装置Ｈ１ａと情報中継装置Ｔａとが接続された、とみなされる。同様に、第２の通信ポートＰ２を接続すべき旨の切替指令を主コンピュータ２１から受信すると、第２のスイッチ４２のみをオンし、第２の通信ポートＰ２と模擬子局装置３とが第２のスイッチ４２を介して、通信可能に接続されるものである。
【００３６】
カメラ５は、切替スイッチ装置４の接続状況を撮影し、つまり、どのスイッチ４１〜４５がオン、オフされているかを撮影し、撮影した画像（静止画または動画）をリアルタイムに主コンピュータ２１に送信するものである。
【００３７】
ここで、模擬子局装置３と切替スイッチ装置４との通信や、主コンピュータ２１と新情報中継装置Ｔａ、切替スイッチ装置４との通信など、制御所Ｓ側と制御中継所Ｔ側との通信は、ＩＰ網を介して行われ、Ｖ−ＬＡＮ（仮想ＬＡＮ）やＩＤ、パスワード管理などにより、セキュリティが確保されている。さらに、対向試験などの作業時間以外は、物理的に回線を切断することで、セキュリティがより確保されている。
【００３８】
次に、このような構成の対向試験装置１による情報集配信装置の対向試験方法などについて、説明する。
【００３９】
まず、対向試験装置１を設置する。すなわち、制御所Ｓにシミュレーション装置２と模擬子局装置３とを配設し、制御中継所Ｔに切替スイッチ装置４とカメラ５とを配設する。次に、ＩＰ網やＩＰ網端局装置などを介して、試験系監視装置２５と制御所側監視制御システムＳａとを接続し、模擬子局装置３と切替スイッチ装置４とを接続するとともに、主コンピュータ２１に対して新情報中継装置Ｔａ、切替スイッチ装置４およびカメラ５を接続する。このような対向試験装置１の設置後は、作業員などが制御中継所Ｔに待機している必要はなく、制御所Ｓのみに電力会社の立会者や運転責任者、工事会社の現場代理人や作業員などがいればよい。
【００４０】
続いて、主コンピュータ２１から新情報中継装置Ｔａに「試験」信号を送信して、新情報中継装置Ｔａを対向試験モードにし、その後、試験プログラム２２を起動することで、試験プログラム２２に従った対向試験が行われる。具体的には、まず、第１の通信ポートＰ１を接続すべき旨の切替指令が、主コンピュータ２１から切替スイッチ装置４に送信され、これにより、上記のように、第１のスイッチ４１のみがオンされ、情報中継装置Ｔａの第１の通信ポートＰ１と模擬子局装置３とが通信可能に接続される。
【００４１】
次に、図３に示すように、主コンピュータ２１から試験系監視装置２５に所定の制御情報Ｆ１が送信され、これを受けて、制御情報Ｆ１が制御所側監視制御システムＳａから新情報中継装置Ｔａの第１の通信ポートＰ１、切替スイッチ装置４の第１のスイッチ４１を介して、模擬子局装置３に送信され、主コンピュータ２１に還流される。そして、主コンピュータ２１から送信した制御情報Ｆ１と、模擬子局装置３側から受信した制御情報Ｆ１とが比較され、その結果が良否判定データベース２４に記憶される。
【００４２】
同様に、図４に示すように、主コンピュータ２１から模擬子局装置３に表示計測情報などの模擬出力情報Ｆ２が送信され、これを受けて、模擬出力情報Ｆ２が切替スイッチ装置４の第１のスイッチ４１から新情報中継装置Ｔａの第１の通信ポートＰ１、制御所側監視制御システムＳａを介して試験系監視装置２５に送信され、主コンピュータ２１に還流される。そして、主コンピュータ２１から送信した模擬出力情報Ｆ２と、試験系監視装置２５側から受信した模擬出力情報Ｆ２とが比較され、その結果が良否判定データベース２４に記憶される。
【００４３】
このような対向試験が、第１の変電所Ｈ１の遠隔監視制御装置Ｈ１ａとして模擬された模擬子局装置３に対して行われる。ここで、このような制御情報Ｆ１や模擬出力情報Ｆ２の送受信は、複数の情報Ｆ１、Ｆ２を用いて行ってもよい。また、対向試験の際には、カメラ５から主コンピュータ２１に切替スイッチ装置４の接続状況が送信されるとともに、上記のようにして、試験系監視装置２５のモニタに情報中継装置Ｔａの状態などが表示され、これらを確認しながら対向試験を行う。
【００４４】
次に、第２の通信ポートＰ２を接続すべき旨の切替指令が、主コンピュータ２１から切替スイッチ装置４に送信され、これにより、第２のスイッチ４２のみがオンされ、情報中継装置Ｔａの第２の通信ポートＰ２と模擬子局装置３とが通信可能に接続される。続いて、上記と同様にして、制御情報Ｆ１や模擬出力情報Ｆ２の送受信が行われ、第２の変電所Ｈ２の遠隔監視制御装置Ｈ２ａとして模擬された模擬子局装置３に対して、対向試験が行われる。
【００４５】
このような対向試験がすべての通信ポートＰ１〜Ｐ５、つまり、すべての変電所Ｈ１〜Ｈ５の遠隔監視制御装置Ｈ１ａ〜Ｈ５ａに対して順次行われる。そして、良否判定データベース２４に記憶された比較結果を主コンピュータ２１から読み出し、新情報中継装置Ｔａが適正に機能しているか、接続が正しいかなどを確認する。その後、対向試験を終了して新情報中継装置Ｔａを通常運用する場合には、主コンピュータ２１から新情報中継装置Ｔａに「常用」信号を送信して、新情報中継装置Ｔａを運用モードにする。さらに、対向試験装置１を撤去し、新情報中継装置Ｔａの各通信ポートＰ１〜Ｐ５に各遠隔監視制御装置Ｈ１ａ〜Ｈ５ａを接続して、旧情報中継装置Ｔａを撤去するものである。
【００４６】
以上のように、この対向試験装置１および対向試験方法によれば、制御所Ｓからの制御情報Ｆ１や模擬出力情報Ｆ２が、制御中継所Ｔに設置された情報中継装置Ｔａの各通信ポートＰ１〜Ｐ５を介して、制御所Ｓに還流されるため、各遠隔監視制御装置Ｈ１ａ〜Ｈ５ａに対する通信が適正に行われているかなどを、制御所Ｓにて確認することができる。しかも、制御所Ｓのシミュレーション装置２から制御中継所Ｔの切替スイッチ装置４を制御可能なため、情報中継装置Ｔａの通信ポートＰ１〜Ｐ５と模擬子局装置３との接続を切り替えるために、作業員などが制御中継所Ｔに行く必要がない。このように、対向試験装置１の設置後は、作業員などが現地・制御中継所Ｔに行くことなく、情報中継装置Ｔａの対向試験を行うことが可能となり、対向試験に要する時間や労力、費用を著しく軽減することができる。また、制御所Ｓだけで対向試験が行えるため、現地・制御中継所Ｔの作業員などと電話で連絡をとる必要が削減され、より適正・正確かつ迅速な対向試験を行うことが可能となる。
【００４７】
さらに、カメラ５から主コンピュータ２１に切替スイッチ装置４の接続状況が送信されるため、制御所Ｓにおいて切替スイッチ装置４の接続状況を確認することができ、対向試験をより適正・正確に行うことが可能となる。同様に、情報中継装置Ｔａの状態などが試験系監視装置２５のモニタに表示されるため、制御所Ｓにおいて情報中継装置Ｔａの状態などを確認しながら、対向試験をより適正・正確に行うことが可能となる。また、制御情報Ｆ１や模擬出力情報Ｆ２が適正に送信されたか否かが自動的に比較、確認され、その結果が良否判定データベース２４に記憶されるため、対向試験の良否判定などを適正、容易かつ迅速に行うことが可能となる。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、情報中継装置Ｔａ自体を交換する場合について説明し、対向試験中には新情報中継装置Ｔａと各遠隔監視制御装置Ｈ１ａ〜Ｈ５ａとを切り離しているが、試験対象外の遠隔監視制御装置Ｈ１ａ〜Ｈ５ａを新情報中継装置Ｔａと接続するようにしてもよい。例えば、図５に示すように、各スイッチ４１〜４５のオフ端子４１ｃ〜４５ｃにそれぞれ遠隔監視制御装置Ｈ１ａ〜Ｈ５ａを接続する。そして、第１の遠隔監視制御装置Ｈ１ａを試験対象とする場合に、第１のスイッチ４１をオンすることで第１の遠隔監視制御装置Ｈ１ａのみが新情報中継装置Ｔａと切り離される。一方、他の遠隔監視制御装置Ｈ２ａ〜Ｈ５ａは新情報中継装置Ｔａと接続されたままであり、通信を維持することができる。このような方法は、特定の遠隔監視制御装置Ｈ１ａ〜Ｈ５ａ（上記の例えでは、第１の装置Ｈ１ａ）を交換する場合などに、適用することができる。
【００４９】
また、上記の実施の形態では、情報集配信装置に遠隔監視制御装置Ｈ１ａ〜Ｈ５ａが接続されている場合について説明したが、配電自動化システムなどその他の装置、設備が接続されている場合にも適用することができる。一方、対向試験の状況を制御所Ｓ以外の営業所などで監視、確認できるようにしてもよい。例えば、カメラ５による切替スイッチ装置４の接続状況や、制御所Ｓの制御所側監視制御システムＳａの画面情報（監視情報）などを、営業所のモニタにリアルタイムに表示するようにしてもよい。
【符号の説明】
【００５０】
１        対向試験装置
２        シミュレーション装置
２１      主コンピュータ（制御情報比較手段、模擬情報比較手段）
２２      試験プログラム
２３      中継所テーブル
２４      良否判定データベース
２５      試験系監視装置（モニタリング手段）
３        模擬子局装置（模擬遠方装置）
４        切替スイッチ装置（接続手段）
５        カメラ（撮影手段）
Ｓ        制御所
Ｓａ      制御所側監視制御システム（制御所装置）
Ｔ        制御中継所
Ｔａ      情報中継装置（情報集配信装置）
Ｔｂ      中継所側監視制御システム
Ｐ１〜Ｐ５  通信ポート
Ｈ１〜Ｈ５  変電所
Ｈ１ａ〜Ｈ５ａ  遠隔監視制御装置（遠方装置）
【図１】
0005312525.tif 000002
【図２】
0005312525.tif 000003
【図３】
0005312525.tif 000004
【図４】
0005312525.tif 000005
【図５】
0005312525.tif 000006